(57)【特許請求の範囲】
【請求項１】
誘電体フィルムの少なくとも片面に蒸着電極を設けた金属化フィルムを、巻回または積層してコンデンサ素子を形成し、該コンデンサ素子の両端面に電極引き出し用のメタリコン部を接続した金属化フィルムコンデンサであって、
前記蒸着電極は、前記金属化フィルムの長手方向に所定の間隔で配列された絶縁スリットにより分割形成された複数の分割電極を有する分割電極部と、前記分割電極よりも電極面積が大きな、少なくとも１つの大電極を有する大電極部とを備え、
前記分割電極部および前記大電極部は、前記金属化フィルムの幅方向に交互に配置され、かつ前記分割電極部が、両側に前記大電極部が配置された第１分割電極部と、片側にのみ前記大電極部が配置された第２分割電極部とを含み、
前記第１分割電極部における前記分割電極は、該分割電極の幅方向一方側の前記絶縁スリット間に形成された第１ヒューズ部を介して前記一方側に隣接配置された前記大電極に接続され、かつ該分割電極の幅方向他方側の前記絶縁スリット間に形成された第２ヒューズ部を介して前記他方側に隣接配置された前記大電極に接続され、
前記第２分割電極部における前記分割電極は、該分割電極の片側にのみ存在する前記絶縁スリット間に形成された第３ヒューズ部を介して前記大電極に接続されており、
前記第３ヒューズ部の幅は、前記第１ヒューズ部および前記第２ヒューズ部の幅よりも大きいことを特徴とする金属化フィルムコンデンサ。
【請求項２】
前記第３ヒューズ部の幅は、前記第１ヒューズ部の幅と前記第２ヒューズ部の幅の和以下であることを特徴とする請求項１に記載の金属化フィルムコンデンサ。
【請求項３】
前記第３ヒューズ部の各々は、複数のヒューズにより構成されており、
前記第３ヒューズ部の幅は、前記複数のヒューズの幅の和であることを特徴とする請求項１または２に記載の金属化フィルムコンデンサ。
【請求項４】
前記大電極は、前記蒸着電極が長手方向に連続した非分割電極であることを特徴とする請求項１〜３のいずれかに記載の金属化フィルムコンデンサ。
【請求項５】
前記大電極は、前記蒸着電極が前記所定の間隔よりも大きな間隔で配列された絶縁スリットにより分割形成された大分割電極であることを特徴とする請求項１〜３のいずれかに記載の金属化フィルムコンデンサ。
【発明の詳細な説明】
【技術分野】
【０００１】
本発明は、産業機器および自動車用等のインバータ回路の平滑用、フィルタ用に使用する金属化フィルムコンデンサに関するものである。
【背景技術】
【０００２】
一般に、インバータ回路の平滑用等に使用する金属化フィルムコンデンサは、高温・高電圧で使用することから、安全性が強く要求されている。このため、かかる用途に使用する金属化フィルムコンデンサには、図４に示すように、分割電極部２Ａ、２Ｂおよび非分割電極部３Ａ、３Ｂを備えた金属化フィルム１０が採用されている（例えば、特許文献１参照）。
【０００３】
図４に示す金属化フィルム１０は、該金属化フィルム１０の幅方向の一方端に電極引き出し用のメタリコン部が接続されるメタリコン接続部４ａが形成され、他方端に絶縁マージン４ｂが形成されている。
【０００４】
金属化フィルム１０の絶縁マージン４ｂ側には、複数のＹ字形絶縁スリット６が長手方向に一定ピッチで配列されており、Ｙ字形絶縁スリット６の基端部は絶縁マージン４ｂに接続されている。
また、金属化フィルム１０の幅方向の略中央には、Ｙ字形絶縁スリット６とほぼ同じピッチで、該Ｙ字形絶縁スリット６の配列方向と平行に、１列のミュラー・リヤー形（金属化フィルム１０の幅方向に伸びる線分の両端に内向きの矢羽根を有する形状）絶縁スリット５が配列されている。
【０００５】
分割電極部２Ａ、２Ｂは、ミュラー・リヤー形絶縁スリット５により蒸着電極が分割形成された、複数の分割電極２ａを有する第１分割電極部２Ａと、Ｙ字形絶縁スリット６により蒸着電極が分割形成された複数の分割電極２ｂを有する第２分割電極部２Ｂとを含んでいる。
また、第１分割電極部２Ａのメタリコン接続部４ａ側には、蒸着電極が長手方向に連続した非分割電極部３Ａが隣接配置されており、第１分割電極部２Ａの絶縁マージン４ｂ側（第１分割電極部２Ａと第２分割電極部２Ｂの間）には、非分割電極部３Ｂが隣接配置されている。
【０００６】
分割電極２ａは、ミュラー・リヤー形絶縁スリット５のメタリコン接続部４ａ側の端部間に形成された第１ヒューズ部７ａを介して非分割電極部３Ａに接続され、かつミュラー・リヤー形絶縁スリット５の絶縁マージン４ｂ側の端部間に形成された第２ヒューズ部７ｂを介して非分割電極部３Ｂに接続されている。
また、分割電極２ｂは、Ｙ字形絶縁スリット６の先端部間に形成された第３ヒューズ部８を介して非分割電極部３Ｂに接続されている。なお、第１ヒューズ部７ａの幅ＷA1、第２ヒューズ部７ｂの幅ＷA2および第３ヒューズ部８の幅ＷBは同一とされている。
【０００７】
かかる金属化フィルム１０を用いた金属化フィルムコンデンサでは、例えば、分割電極２ａに絶縁破壊（クリア）が生じた場合、非分割電極部３Ａ、３Ｂから絶縁破壊を起こした分割電極２ａに大電流が流れ込む。
これにより、第１および第２ヒューズ部７ａ、７ｂが動作（第１および第２ヒューズ部７ａ、７ｂの蒸着電極が飛散）して、絶縁破壊を起こした分割電極２ａが非分割電極部３Ａ、３Ｂから絶縁分離される。したがって、金属化フィルム１０を用いた金属化フィルムコンデンサによれば、高い安全性を確保することができる。
【先行技術文献】
【特許文献】
【０００８】
【特許文献１】特開２０１０−１８２８４８号公報
【発明の概要】
【発明が解決しようとする課題】
【０００９】
ところで、金属化フィルム１０を用いた従来の金属化フィルムコンデンサでは、図５に示すように、分割電極２ａ、２ｂに同規模の絶縁破壊Ｃ１、Ｃ２が生じた場合、絶縁破壊Ｃ１を起こした分割電極２ａに流れ込む総電流量（総エネルギー量）と絶縁破壊Ｃ２を起こした分割電極２ｂに流れ込む総電流量は等しくなるので、第３ヒューズ部８を流れる電流ＥBは、第１ヒューズ部７ａを流れる電流ＥA1と第２ヒューズ部７ｂを流れる電流ＥA2の和と等しくなる。
すなわち、第３ヒューズ部８には、第１ヒューズ部７ａや第２ヒューズ部７ｂに流れる電流ＥA1、ＥA2よりも大きな電流ＥBが流れることになる。
【００１０】
ここで、従来の金属化フィルムコンデンサでは、第１ヒューズ部７ａの幅ＷA1、第２ヒューズ部７ｂの幅ＷA2および第３ヒューズ部８の幅ＷBが同一であるため、従来の金属化フィルムコンデンサでは、第１ヒューズ部７ａ、第２ヒューズ部７ｂおよび第３ヒューズ部８が適切に動作しない場合があった。具体的には、第１ヒューズ部７ａや第２ヒューズ部７ｂの動作が遅れてしまうことがあったり、第３ヒューズ部８が、本来動作する必要がないくらいの小さな絶縁破壊に対しても動作してしまうことがあった。
したがって、絶縁破壊Ｃ１、Ｃ２が生じるような場合、従来の金属化フィルムコンデンサでは、耐電圧性能の低下や寿命特性の低下を招くおそれがあった。
【００１１】
本発明は上記事情に鑑みてなされたものであって、その課題とするところは、耐電圧性能および寿命特性に優れた金属化フィルムコンデンサを提供することにある。
【課題を解決するための手段】
【００１２】
上記課題を解決するために、本発明に係る金属化フィルムコンデンサは、誘電体フィルムの少なくとも片面に蒸着電極を設けた金属化フィルムを、巻回または積層してコンデンサ素子を形成し、該コンデンサ素子の両端面に電極引き出し用のメタリコン部を接続した金属化フィルムコンデンサであって、
蒸着電極は、金属化フィルムの長手方向に所定の間隔で配列された絶縁スリットにより分割形成された複数の分割電極を有する分割電極部と、分割電極よりも電極面積が大きな、少なくとも１つの大電極を有する大電極部とを備え、
分割電極部および大電極部は、金属化フィルムの幅方向に交互に配置され、かつ分割電極部が、両側に大電極部が配置された第１分割電極部と、片側にのみ大電極部が配置された第２分割電極部とを含み、
第１分割電極部における分割電極は、該分割電極の幅方向一方側の絶縁スリット間に形成された第１ヒューズ部を介して一方側に隣接配置された大電極に接続され、かつ該分割電極の幅方向他方側の絶縁スリット間に形成された第２ヒューズ部を介して他方側に隣接配置された大電極に接続され、
第２分割電極部における分割電極は、該分割電極の片側にのみ存在する絶縁スリット間に形成された第３ヒューズ部を介して大電極に接続されており、
第３ヒューズ部の幅は、第１ヒューズ部および第２ヒューズ部の幅よりも大きいことを特徴とする。
【００１３】
この構成によれば、第３ヒューズ部の幅が第１ヒューズ部や第２ヒューズ部の幅よりも大きいので、第３ヒューズ部に流すことができる許容電流（第３ヒューズ部を動作させるのに必要な電流）を、第１ヒューズ部や第２ヒューズ部に流すことができる許容電流（第１ヒューズ部および第２ヒューズ部を動作させるのに必要な電流）よりも大きくすることができる。
したがって、この構成によれば、第１ヒューズ部および第２ヒューズ部を確実に動作させることができるとともに、第３ヒューズ部を動作させる必要がないくらいの小さな絶縁破壊が生じた場合に、第３ヒューズ部が動作してしまうのを防ぐことができる。
【００１４】
また、本発明に係る金属化フィルムコンデンサにおいて、第３ヒューズ部の幅は、第１ヒューズ部の幅と第２ヒューズ部の幅の和以下であることが好ましい。
【００１５】
この構成によれば、第３ヒューズ部を動作させるべき絶縁破壊が生じた場合に、より確実に第３ヒューズ部を動作させることができるので、第３ヒューズ部の保安性能を高めることができ、高い安全性を確保することができる。
【００１６】
また、本発明に係る金属化フィルムコンデンサにおいて、第３ヒューズ部の各々は、複数のヒューズにより構成されていてもよく、第３ヒューズ部の幅は、該複数のヒューズの幅の和であってもよい。
【００１７】
そして、上記大電極は、蒸着電極が長手方向に連続した非分割電極であるか、または、蒸着電極が所定の間隔よりも大きな間隔で配列された絶縁スリットにより分割形成された大分割電極であることを特徴とする。
【発明の効果】
【００１８】
本発明によれば、耐電圧性能および寿命特性に優れた金属化フィルムコンデンサを提供することができる。
【図面の簡単な説明】
【００１９】
【図１】本発明に係る金属化フィルムコンデンサを構成する金属化フィルムの平面図である。
【図２】本発明における金属化フィルムの第１変形例を示す平面図である。
【図３】本発明における金属化フィルムの第２変形例を示す平面図である。
【図４】従来の金属化フィルムコンデンサを構成する金属化フィルムの平面図である。
【図５】絶縁破壊時における各ヒューズ部の動作を説明するための図である。
【発明を実施するための形態】
【００２０】
以下、添付図面を参照して、本発明の好ましい実施形態について説明する。
【００２１】
図１に、本発明の一実施形態に係る金属化フィルムコンデンサを構成する金属化フィルム１Ａの平面図を示す。
同図に示す金属化フィルム１Ａは、誘電体フィルムの少なくとも片面に蒸着電極が設けられたものであり、該金属化フィルム１Ａの幅方向（以下、単に「幅方向」）の一方端に電極引き出し用のメタリコン部が接続されるメタリコン接続部４ａが形成され、他方端に絶縁マージン４ｂが形成されている。
【００２２】
金属化フィルム１Ａの絶縁マージン４ｂ側には、複数のＹ字形絶縁スリット６が金属化フィルム１Ａの長手方向（以下、単に「長手方向」）に一定ピッチで配列されており、Ｙ字形絶縁スリット６の基端部は絶縁マージン４ｂに接続されている。
また、金属化フィルム１Ａの幅方向の略中央には、Ｙ字形絶縁スリット６とほぼ同じピッチで、該Ｙ字形絶縁スリット６の配列方向と平行に１列のミュラー・リヤー形絶縁スリット５が配列されている。
【００２３】
蒸着電極は、分割電極部２Ａ、２Ｂおよび本発明の「大電極部（大電極）」に相当する非分割電極部３Ａ、３Ｂから構成されており、絶縁マージン４ｂ、ミュラー・リヤー形絶縁スリット５およびＹ字形絶縁スリット６を除いた領域に設けられている。
【００２４】
分割電極部２Ａ、２Ｂは、ミュラー・リヤー形絶縁スリット５により分割形成された複数の分割電極２ａを有する第１分割電極部２Ａと、Ｙ字形絶縁スリット６により分割形成された複数の分割電極２ｂを有する第２分割電極部２Ｂとを含んでいる。
【００２５】
第１分割電極部２Ａのメタリコン接続部４ａ側には、蒸着電極が長手方向に連続した非分割電極部３Ａが隣接配置されており、第１分割電極部２Ａの絶縁マージン４ｂ側（第１分割電極部２Ａと第２分割電極部２Ｂの間）には、非分割電極部３Ｂが隣接配置されている。
つまり、本実施形態に係る金属化フィルムコンデンサにおいては、分割電極部２Ａ、２Ｂと非分割電極部３Ａ、３Ｂが幅方向に交互に配置されており、２つの分割電極部２Ａ、２Ｂのうち、分割電極部２Ａは両側に非分割電極部３Ａ（３Ｂ）が配置されているが、分割電極部２Ｂは片側にのみ非分割電極部３Ｂが配置されている。
【００２６】
分割電極２ａは、ミュラー・リヤー形絶縁スリット５のメタリコン接続部４ａ側の端部間に形成された第１ヒューズ部７ａを介して非分割電極部３Ａに接続され、かつミュラー・リヤー形絶縁スリット５の絶縁マージン４ｂ側の端部間に形成された第２ヒューズ部７ｂを介して非分割電極部３Ｂに接続されている。
【００２７】
第１ヒューズ部７ａの各々および第２ヒューズ部７ｂの各々は、１つのヒューズから構成されている。第１ヒューズ部７ａの幅（第１ヒューズ部７ａを構成するヒューズの幅）ＷA1は、第２ヒューズ部７ｂの幅（第２ヒューズ部７ｂを構成するヒューズの幅）ＷA2と同じである。
【００２８】
分割電極２ｂは、Ｙ字形絶縁スリット６の先端部間に形成された第３ヒューズ部８を介して非分割電極部３Ｂに接続されている。第３ヒューズ部８の各々は、１つのヒューズから構成されており、第３ヒューズ部８の幅（第３ヒューズ部８を構成するヒューズの幅）ＷBは、第１ヒューズ部７ａの幅ＷA1や第２ヒューズ部７ｂの幅ＷA2よりも大きくなっている。
【００２９】
［実施例１］
実施例１に係る金属化フィルムコンデンサは、上記の金属化フィルム１Ａをメタリコン接続部４ａと絶縁マージン４ｂとが対向するように２枚重ねて巻回し、両端に電極引き出し用のメタリコン部を接続してコンデンサ素子を形成し、該コンデンサ素子５個を電極板で結線して引き出し端子を接続し、ケースに収納してエポキシ樹脂を充填、硬化させたものである。
【００３０】
実施例１に係る金属化フィルムコンデンサでは、第１ヒューズ部７ａの幅ＷA1を０．３ｍｍ、第２ヒューズ部７ｂの幅ＷA2を０．３ｍｍ、第３ヒューズ部８の幅ＷBを０．５ｍｍとしている。
【００３１】
［実施例２］
実施例２に係る金属化フィルムコンデンサは、第３ヒューズ部８の幅ＷBを０．６ｍｍとしたこと以外の点において、実施例１に係る金属化フィルムコンデンサと共通している。
【００３２】
［実施例３］
実施例３に係る金属化フィルムコンデンサは、第２ヒューズ部７ｂの幅ＷA2を０．２ｍｍとしたこと以外の点において、実施例１に係る金属化フィルムコンデンサと共通している。
【００３３】
［実施例４］
実施例４に係る金属化フィルムコンデンサは、第３ヒューズ部８の幅ＷBを０．８ｍｍとしたこと以外の点において、実施例１に係る金属化フィルムコンデンサと共通している。
【００３４】
［従来例］
従来例の金属化フィルムコンデンサは、第１〜第３ヒューズ部７ａ、７ｂ、８の幅ＷA1、ＷA2、ＷBをすべて０．３ｍｍとしたこと以外の点において、実施例１に係る金属化フィルムコンデンサと共通している。
【００３５】
上記の実施例１〜４および従来例の金属化フィルムコンデンサを用いて、高温バイアス試験（温度１０５℃、２８０Ｖ／μｍ、１０００時間印加）を実施し、試験終了後、これらの金属化フィルムコンデンサの容量変化率および保安性能（第３ヒューズ部８の動作性能）を測定した。その測定結果を表１に示す。
【００３６】
なお、表１において、保安性能の欄の○は、第３ヒューズ部８が適切に動作した状態、言い換えれば、ある一つの金属化フィルムにおいて絶縁破壊が生じた際に、該破壊による影響が積層方向の上下１枚の金属化フィルムにしか及んでいなかったことを意味する。
また、保安性能の欄の△は、容量変化率において問題がない場合であっても、ショート破壊を起こす可能性があることを意味する。
【００３７】
【表１】
0005601718.tif 000002
【００３８】
［容量変化率の比較］
表１に示すように、実施例１〜４に係る金属化フィルムコンデンサは、従来例の金属化フィルムコンデンサよりも容量変化率が小さく、静電容量の減少が小さくなっている。
これは、従来例の金属化フィルムコンデンサは、第３ヒューズ部８を動作させる必要がないくらいの小さな絶縁破壊でも第３ヒューズ部８が動作してしまったのに対して、実施例１〜４に係る金属化フィルムコンデンサは、第３ヒューズ部８の幅ＷBが第１および第２ヒューズ部７ａ、７ｂの幅ＷA1、ＷA2よりも大きく、第１および第２ヒューズ部７ａ、７ｂに流れる電流よりも大きな電流を第３ヒューズ部８に流すことができるので、上記のような小さな絶縁破壊では、第３ヒューズ部８が動作しなかったためである。
【００３９】
［保安性能の比較］
また、表１に示すように、実施例１〜３に係る金属化フィルムコンデンサは、第３ヒューズ部８の幅ＷBが第１および第２ヒューズ部７ａ、７ｂの幅ＷA1、ＷA2よりも大きく、かつ、第３ヒューズ部８の幅ＷBが第１ヒューズ部７ａの幅ＷA1と第２ヒューズ部７ｂの幅ＷA2の和以下である。このような条件の実施例１〜３に係る金属化フィルムコンデンサによれば、表１に示すように、良好な保安性能を示す。
一方、実施例４に係る金属化フィルムコンデンサは、第３ヒューズ部８の幅ＷBが第１ヒューズ部７ａの幅ＷA1と第２ヒューズ部７ｂの幅ＷA2の和よりも大きい。このような条件では、表１に示すように、保安性能が△（ショート破壊を起こす可能性あり）になっており、第３ヒューズ部８が本来動作すべき電流で動作しない場合がある。
したがって、この測定結果から、良好な保安性能を確保するためには、実施例１〜３に係る金属化フィルムコンデンサのように、第３ヒューズ部８の幅ＷBを第１ヒューズ部７ａの幅ＷA1と第２ヒューズ部７ｂの幅ＷA2の和以下にするのが好ましいことが分かる。
【００４０】
以上より、第３ヒューズ部８の幅ＷBを第１および第２ヒューズ部７ａ、７ｂの幅ＷA1、ＷA2よりも大きくすることにより、静電容量の減少を抑えることができる。
さらに、第３ヒューズ部８の幅ＷBを第１ヒューズ部７ａの幅ＷA1と第２ヒューズ部７ｂの幅ＷA2の和以下にすることにより、静電容量の減少を抑えるだけではなく、良好な保安性能を得ることができる。
【００４１】
［第１変形例］
次に、図２に、本発明に係る金属化フィルムコンデンサを構成する金属化フィルムの第１変形例を示す。
【００４２】
図２に示す金属化フィルム１Ｂには、絶縁マージン４ｂ側に、複数のＴ字形絶縁スリット１６ａが長手方向に一定ピッチで配列されており、Ｔ字形絶縁スリット１６ａの基端部は絶縁マージン４ｂに接続されている。Ｔ字形絶縁スリット１６ａの先端部間には矩形絶縁スリット１６ｂが配列されている。
また、金属化フィルム１Ｂには、Ｔ字形絶縁スリット１６ａとほぼ同じピッチで、該Ｔ字形絶縁スリット１６ａの配列方向と平行に１列のＩ字形絶縁スリット１５が配列されている。
【００４３】
絶縁マージン４ｂ、Ｔ字形絶縁スリット１６ａ、矩形絶縁スリット１６ｂおよびＩ字形絶縁スリット１５を除いた領域には、複数の分割電極２ａを有する第１分割電極部２Ａと、複数の分割電極２ｂを有する第２分割電極部２Ｂと、蒸着電極が長手方向に連続した非分割電極部３Ａ、３Ｂとを構成する蒸着電極が設けられている。
【００４４】
分割電極２ａは、Ｉ字形絶縁スリット１５のメタリコン接続部４ａ側の端部間に形成された第１ヒューズ部７ａを介して非分割電極部３Ａに接続され、かつＩ字形絶縁スリット１５の絶縁マージン４ｂ側の端部間に形成された第２ヒューズ部７ｂを介して非分割電極部３Ｂに接続されている。
【００４５】
分割電極２ｂは、Ｔ字形絶縁スリット１６ａの先端部間に形成された第３ヒューズ部８を介して非分割電極部３Ｂに接続されている。
【００４６】
第３ヒューズ部８は、Ｔ字形絶縁スリット１６ａの先端部と矩形絶縁スリット１６ｂの間に形成された２つのヒューズ８ａ、８ｂから構成されており、第３ヒューズ部８の幅ＷBは、ヒューズ８ａの幅ＷB1とヒューズ８ｂの幅ＷB2の和になる。
【００４７】
第３ヒューズ部８の幅ＷB（ヒューズ８ａの幅ＷB1とヒューズ８ｂの幅ＷB2の和）は、図１に示す金属化フィルム１Ａと同様に、第１ヒューズ部７ａの幅ＷA1や第２ヒューズ部７ｂの幅ＷA2よりも大きくなっている。さらに、第３ヒューズ部８の幅ＷBは、第１ヒューズ部７ａの幅ＷA1と第２ヒューズ部７ｂの幅ＷA2の和以下になっている。
【００４８】
このため、本変形例に係る金属化フィルム１Ｂを用いた金属化フィルムコンデンサでは、第１および第２ヒューズ部７ａ、７ｂを確実に動作させることができるとともに、第３ヒューズ部８を動作させる必要がないくらいの小さな絶縁破壊に対して第３ヒューズ部８が動作してしまうのを防ぐことができる。
したがって、本変形例に係る金属化フィルムコンデンサによれば、静電容量の減少を防ぐことができ、耐電圧性能および寿命特性の低下を防ぐことができる。
【００４９】
さらに、本変形例に係る金属化フィルムコンデンサでは、第３ヒューズ部８の幅ＷBが第１ヒューズ部７ａの幅ＷA1と第２ヒューズ部７ｂの幅ＷA2の和以下になっているため、良好な保安性能を確保することもできる。
【００５０】
［第２変形例］
図３に、本発明に係る金属化フィルムコンデンサを構成する金属化フィルムの第２変形例を示す。
【００５１】
図３に示す金属化フィルム１Ｃは、非分割電極部３Ａ、３Ｂの替わりに、絶縁スリット９により分割形成された大分割電極３ａ’、３ｂ’を有する大分割電極部３Ａ’、３Ｂ’（本発明の「大電極部」に相当）が形成されていること以外の点において、図１に示す金属化フィルム１Ａと共通している。
【００５２】
大分割電極３ａ’、３ｂ’は、ミュラー・リヤー形絶縁スリット５やＹ字形絶縁スリット６の間隔よりも大きな間隔で配列された絶縁スリット９により分割形成されたものであるため、分割電極２ａ、２ｂよりも大きな電極面積を有している。
【００５３】
本変形例に係る金属化フィルム１Ｃを用いた金属化フィルムコンデンサによれば、上記実施形態および第１変形例に係る金属化フィルムコンデンサと同様に、第１および第２ヒューズ部７ａ、７ｂを確実に動作させることができるとともに、第３ヒューズ部８を動作させる必要がないくらいの小さな絶縁破壊に対して第３ヒューズ部８が動作してしまうのを防ぐことができるので、耐電圧性能および寿命特性の低下を防ぐことができる。
【００５４】
以上、本発明に係る金属化フィルムコンデンサの好ましい実施形態および変形例について説明したが、本発明は上記の構成に限定されるものではない。
【００５５】
例えば、第１〜第３ヒューズ部７ａ、７ｂ、８を構成するヒューズの数は、第３ヒューズ部８の幅ＷBが第１ヒューズ部７ａの幅（第１ヒューズ部７ａを構成するヒューズの幅の和）ＷA1や第２ヒューズ部７ｂの幅（第２ヒューズ部７ｂを構成するヒューズの幅の和）ＷA2よりも大きくなっていれば、任意に変更することができる。
【００５６】
また、ミュラー・リヤー形絶縁スリット５やＹ字形絶縁スリット６等の絶縁スリットの形状や、これらの絶縁スリット間の間隔も、任意に変更することができる。
【符号の説明】
【００５７】
１Ａ、１Ｂ、１Ｃ    金属化フィルム
２Ａ    第１分割電極部
２Ｂ    第２分割電極部
２ａ、２ｂ    分割電極
３Ａ、３Ｂ    非分割電極部
３Ａ’、３Ｂ’    大分割電極部
３ａ’、３ｂ’    大分割電極
４ａ    メタリコン接続部
４ｂ    絶縁マージン
５    ミュラー・リヤー形絶縁スリット
６    Ｙ字形絶縁スリット
７ａ    第１ヒューズ部
７ｂ    第２ヒューズ部
８    第３ヒューズ部
８ａ、８ｂ    ヒューズ
９    絶縁スリット
１５    Ｉ字形絶縁スリット
１６ａ    Ｔ字形絶縁スリット
１６ｂ    矩形絶縁スリット
【図１】
0005601718.tif 000003
【図２】
0005601718.tif 000004
【図３】
0005601718.tif 000005
【図４】
0005601718.tif 000006
【図５】
0005601718.tif 000007